(57)【要約】【構成】検像端末８０に設けられたＣＰＵ８０ｐｒは、放射線撮影時に設定されたＳＳＤＥ値と放射線撮影回数との関係を表すグラフをモニタ８０ｍｔに表示する。ＳＳＤＥ値目盛り移動操作は、所望のＳＳＤＥ値を指定するための操作であり、グラフを表示する処理に関連して受け付けられる。ＣＰＵ８０ｐｒは、これによって指定されたＳＳＤＥ値に対応する放射線撮影を検出し、検出した放射線撮影の詳細情報が描かれた患者ページをモニタ８０ｍｔに追加的に表示する。ＣＰＵ８０ｐｒはまた、ＳＳＤＥ値の推奨範囲を調整する調整操作（「ＤＤＲ設定」ボタンをクリックし、推奨範囲の上方値／下方値を入力し、「設定」ボタンをクリックする操作）を、患者ページの表示に関連して受け付ける。【効果】推奨範囲を調整する際の操作性を高めることができる。【選択図】図２
2018038448.tif 000002
【特許請求の範囲】
【請求項１】
放射線撮影時に設定された放射線量と撮影回数との関係を表す統計情報を表示する統計情報表示手段、
所望の放射線量を指定する指定操作を前記統計情報表示手段の処理に関連して受け付ける指定操作受け付け手段、
前記指定操作によって指定された放射線量に対応する放射線撮影の詳細情報を追加的に表示する詳細情報表示手段、および
前記放射線量の推奨範囲を調整する調整操作を前記詳細情報表示手段の処理に関連して受け付ける調整操作受付手段を備える、放射線撮影支援装置。
【請求項２】
前記統計情報は前記撮影線量および前記撮影回数が２つの軸にそれぞれ割り当てられたグラフを含み、
前記推奨範囲を前記グラフに描画する描画手段をさらに備える、請求項１記載の放射線撮影支援装置。
【請求項３】
前記調整操作に応答して前記推奨範囲を調整する推奨範囲調整手段、および
前記推奨範囲調整手段の処理の後に前記描画手段を再起動する再起動手段をさらに備える、請求項２記載の放射線撮影支援装置。
【請求項４】
前記推奨範囲は検査部位毎に定義され、
前記統計情報表示手段は前記検査部位毎に前記統計情報を表示する、請求項１ないし３のいずれかに記載の放射線撮影支援装置。
【請求項５】
前記詳細情報表示手段は前記指定操作が受け付けられる毎に表示対象を更新する、請求項１ないし４のいずれかに記載の放射線撮影支援装置。
【請求項６】
前記調整操作受付手段は前記指定操作と並列して前記調整操作を受け付ける第１操作受付手段を含む、請求項１ないし５のいずれかに記載の放射線撮影支援装置。
【請求項７】
前記詳細情報は撮影条件および撮影画像の少なくとも一方を含む、請求項１ないし６のいずれかに記載の放射線撮影支援装置。
【請求項８】
前記詳細情報表示手段によって表示された詳細情報に所望のコメントを割り当てる割り当て手段、および
前記割り当て手段によって割り当てられたコメントを前記詳細情報表示手段によって表示された詳細情報に対して追加的に表示するコメント表示手段をさらに備える、請求項１ないし７のいずれかに記載の放射線撮影支援装置。
【請求項９】
前記調整操作受付手段は前記コメント表示手段の処理に関連して前記調整操作を受け付ける第２操作受付手段を含む、請求項８記載の放射線撮影支援装置。
【請求項１０】
放射線撮影支援装置によって実行される放射線撮影支援方法であって、
放射線撮影時に設定された放射線量と撮影回数との関係を表す統計情報を表示する統計情報表示ステップ、
所望の放射線量を指定する指定操作を前記統計情報表示ステップの処理に関連して受け付ける指定操作受け付けステップ、
前記指定操作によって指定された放射線量に対応する放射線撮影の詳細情報を追加的に表示する詳細情報表示ステップ、および
前記放射線量の推奨範囲を調整する調整操作を前記詳細情報表示ステップの処理に関連して受け付ける調整操作受付ステップを備える、放射線撮影支援方法。
【請求項１１】
放射線撮影支援装置のプロセッサに、
放射線撮影時に設定された放射線量と撮影回数との関係を表す統計情報を表示する統計情報表示ステップ、
所望の放射線量を指定する指定操作を前記統計情報表示ステップの処理に関連して受け付ける指定操作受け付けステップ、
前記指定操作によって指定された放射線量に対応する放射線撮影の詳細情報を追加的に表示する詳細情報表示ステップ、および
前記放射線量の推奨範囲を調整する調整操作を前記詳細情報表示ステップの処理に関連して受け付ける調整操作受付ステップを実行させるための、放射線撮影支援プログラム。
【発明の詳細な説明】
【技術分野】
【０００１】
この発明は、放射線撮影支援装置、放射線撮影支援方法および放射線撮影支援プログラムに関し、特に、患者の被ばくを伴う放射線撮影を支援する、放射線撮影支援装置、放射線撮影支援方法および放射線撮影支援プログラムに関する。
【背景技術】
【０００２】
医療現場において、放射線撮影は、患者の解剖学的情報や機能的情報を得る上で大きな役割を果たしている。その一方で、放射線は、人体を透過する際に細胞を損傷させてしまうおそれがある。
【０００３】
したがって、放射線撮影時に患者に照射される放射線量つまり撮影線量は、リスク（放射線被ばくによる将来的な影響）およびベネフィット（診断が付き治療方針を決めることが出来る）の両方を見極めた上で、過剰な被ばくを回避できかつ画質を維持できる値つまり適正値に調整する必要がある。
【０００４】
国際的に見ると、ＩＣＲＰ(International Commission on Radiological Protection)の諸勧告や、ＩＡＥＡ(International Atomic Energy Agency)の国際基本安全基準など指針において、診断参考レベル(Diagnostic Reference Level：DRL)が診断領域の医療放射線防護において最適化のツールであるとされている。
【０００５】
これに関連して、特許文献１では、外部機関またはユーザによって定義された値が基準曝射量として設定され、曝射履歴ＤＢに記憶されている実曝射量が基準曝射量を上回るときに曝射報告が作成される。これによって、ユーザのＸ線曝射量の管理をサポートすることができる。
【０００６】
また、非特許文献１は、被ばくおよび画質の両方を担保する概念として、ＤＲＲ(Diagnostic Reference Range)という考え方を開示している。これは、ＤＲＬで設定されている上方値に限らず、画質維持の目的で下方値も設定し、撮影線量の適正値を幅を持たせて捉える考え方である。
【先行技術文献】
【特許文献】
【０００７】
【特許文献１】特開２００６−１５００３３号公報
【非特許文献】
【０００８】
【非特許文献１】Goske M, Strauss K, Coombs L, et al., 2013. Diagnostic reference ranges for pediatric abdominal CT. Radiology 268, 208-218.
【発明の概要】
【発明が解決しようとする課題】
【０００９】
ただし、撮影装置の性能（検出器感度，Ｘ線管球出力，実効エネルギー，スキャンスピードなど）が異なれば、撮影線量の適正値ないし適正範囲もまた異なる。また、求められる画質や撮影方法は医療施設毎に異なるため、撮影線量の適正値ないし適正範囲は、端的には医療施設毎に異なる。にも関わらず、非特許文献１は、撮影線量の適正範囲つまり推奨範囲を如何にして医療施設毎に調整するについて、何ら開示していない。
【００１０】
それゆえに、この発明の主たる目的は、放射線量の推奨範囲を医療施設毎に調整する際の操作性を高めることができる、放射線撮影支援装置、放射線撮影支援方法、および放射線撮影支援プログラムを提供することである。
【課題を解決するための手段】
【００１１】
この発明に係る放射線撮影支援装置(80：実施例で相当する参照符号。以下同じ)は、放射線撮影時に設定された放射線量と撮影回数との関係を表す統計情報を表示する統計情報表示手段(S14107, S14109, S16905, S16907)、所望の放射線量を指定する指定操作を統計情報表示手段の処理に関連して受け付ける指定操作受け付け手段(S181)、指定操作によって指定された放射線量に対応する放射線撮影の詳細情報を追加的に表示する詳細情報表示手段(S185, S16911~S16915)、および放射線量の推奨範囲を調整する調整操作を詳細情報表示手段の処理に関連して受け付ける調整操作受付手段(S179, S197, S209, S215)を備える。
【００１２】
好ましくは、統計情報は撮影線量および撮影回数が２つの軸にそれぞれ割り当てられたグラフを含み、推奨範囲をグラフに描画する描画手段(S14103, S16905, S16907)がさらに備えられる。
【００１３】
さらに好ましくは、調整操作に応答して推奨範囲を調整する推奨範囲調整手段(S217)、および推奨範囲調整手段の処理の後に描画手段を再起動する再起動手段(S219, S221)がさらに備えられる。
【００１４】
好ましくは、推奨範囲は検査部位毎に定義され、統計情報表示手段は検査部位毎に統計情報を表示する。
【００１５】
好ましくは、詳細情報表示手段は指定操作が受け付けられる毎に表示対象を更新する。
【００１６】
好ましくは、調整操作受付手段は指定操作と並列して調整操作を受け付ける第１操作受付手段(S179)を含む。
【００１７】
好ましくは、詳細情報は撮影条件および撮影画像の少なくとも一方を含む。
【００１８】
好ましくは、詳細情報表示手段によって表示された詳細情報に所望のコメントを割り当てる割り当て手段(S191, S201)、および割り当て手段によって割り当てられたコメントを詳細情報表示手段によって表示された詳細情報に対して追加的に表示するコメント表示手段(S189)がさらに備えられる。
【００１９】
さらに好ましくは、調整操作受付手段はコメント表示手段の処理に関連して調整操作を受け付ける第２操作受付手段(S197)を含む。
【００２０】
この発明に係る放射線撮影支援方法は、放射線撮影支援装置(80)によって実行される放射線撮影支援方法であって、放射線撮影時に設定された放射線量と撮影回数との関係を表す統計情報を表示する統計情報表示ステップ(S14107, S14109, S16905, S16907)、所望の放射線量を指定する指定操作を統計情報表示ステップの処理に関連して受け付ける指定操作受け付けステップ(S181)、指定操作によって指定された放射線量に対応する放射線撮影の詳細情報を追加的に表示する詳細情報表示ステップ(S185, S16911~S16915)、および放射線量の推奨範囲を調整する調整操作を詳細情報表示ステップの処理に関連して受け付ける調整操作受付ステップ(S179, S197, S209, S215)を備える。
【００２１】
この発明に係る放射線撮影支援プログラムは、放射線撮影支援装置(80)のプロセッサ(80pr)に、放射線撮影時に設定された放射線量と撮影回数との関係を表す統計情報を表示する統計情報表示ステップ(S14107, S14109, S16905, S16907)、所望の放射線量を指定する指定操作を統計情報表示ステップの処理に関連して受け付ける指定操作受け付けステップ(S181)、指定操作によって指定された放射線量に対応する放射線撮影の詳細情報を追加的に表示する詳細情報表示ステップ(S185, S16911~S16915)、および放射線量の推奨範囲を調整する調整操作を詳細情報表示ステップの処理に関連して受け付ける調整操作受付ステップ(S179, S197, S209, S215)を実行させるための、放射線撮影支援プログラムである。
【発明の効果】
【００２２】
統計情報は放射線撮影時に設定された放射線量と撮影回数との関係を表すところ、所望の放射線量が指定操作によって指定されると、指定された放射線量に対応する放射線撮影の詳細情報が追加的に表示される。これを踏まえて、放射線量の推奨範囲を調整する調整操作は、詳細情報の表示に関連して受け付けられる。この結果、詳細情報を確認しながら放射線量の推奨範囲を調整することができ、推奨範囲を医療施設毎に調整する際の操作性が向上する。
【００２３】
この発明の上述の目的，その他の目的，特徴および利点は、図面を参照して行う以下の実施例の詳細な説明から一層明らかとなろう。
【図面の簡単な説明】
【００２４】
【図１】この実施例に適用される医療システムの構成の一例を示すブロック図である。
【図２】図１に示すＲＩＳ端末または検像端末の構成の一例を示すブロック図である。
【図３】図１に示すＲＩＳサーバまたは検像サーバの構成の一例を示すブロック図である。
【図４】図１に示すコンソールの構成の一例を示すブロック図である。
【図５】検像サーバに設けられたレジスタの構成の一例を示す図解図である。
【図６】検像サーバに設けられた他のレジスタの構成の一例を示す図解図である。
【図７】検像サーバに設けられたその他のレジスタの構成の一例を示す図解図である。
【図８】ＲＩＳ端末のモニタに表示される検査情報シート画面の一例を示す図解図である。
【図９】ＲＩＳ端末のモニタに表示される検査情報シート画面の他の一例を示す図解図である。
【図１０】ＲＩＳ端末のモニタに表示される検査情報シート画面のその他の一例を示す図解図である。
【図１１】コンソールのモニタに表示される線量情報画面の一例を示す図解図である。
【図１２】検像端末のモニタに表示される基本画面の一例を示す図解図である。
【図１３】検像端末のモニタに表示される線量管理部位画面の一例を示す図解図である。
【図１４】検像端末のモニタに表示される施設線量評価画面の一例を示す図解図である。
【図１５】検像端末のモニタに表示される集計設定画面の一例を示す図解図である。
【図１６】検像端末のモニタに表示される個人線量評価画面の一例を示す図解図である。
【図１７】検像端末のモニタに表示される個人線量評価画面の他の一例を示す図解図である。
【図１８】検像端末のモニタに表示されるＤＲＲ設定画面の一例を示す図解図である。
【図１９】ＲＩＳサーバに設けられたＣＰＵの動作の一部を示すフロー図である。
【図２０】ＲＩＳサーバに設けられたＣＰＵの動作の他の一部を示すフロー図である。
【図２１】ＲＩＳ端末に設けられたＣＰＵの動作の一部を示すフロー図である。
【図２２】ＲＩＳ端末に設けられたＣＰＵの動作の他の一部を示すフロー図である。
【図２３】ＲＩＳ端末に設けられたＣＰＵの動作のその他の一部を示すフロー図である。
【図２４】コンソールに設けられたＣＰＵの動作の一部を示すフロー図である。
【図２５】コンソールに設けられたＣＰＵの動作の他の一部を示すフロー図である。
【図２６】検像端末に設けられたＣＰＵの動作の一部を示すフロー図である。
【図２７】検像端末に設けられたＣＰＵの動作の他の一部を示すフロー図である。
【図２８】検像端末に設けられたＣＰＵの動作のその他の一部を示すフロー図である。
【図２９】検像端末に設けられたＣＰＵの動作のさらにその他の一部を示すフロー図である。
【図３０】検像端末に設けられたＣＰＵの動作の他の一部を示すフロー図である。
【図３１】検像端末に設けられたＣＰＵの動作のその他の一部を示すフロー図である。
【図３２】検像端末に設けられたＣＰＵの動作のさらにその他の一部を示すフロー図である。
【図３３】検像端末に設けられたＣＰＵの動作の他の一部を示すフロー図である。
【図３４】検像端末に設けられたＣＰＵの動作のその他の一部を示すフロー図である。
【図３５】検像端末に設けられたＣＰＵの動作のさらにその他の一部を示すフロー図である。
【図３６】検像端末に設けられたＣＰＵの動作の他の一部を示すフロー図である。
【図３７】ＲＩＳ端末のモニタに表示される検査情報シート画面の他の一例を示す図解図である。
【図３８】ＲＩＳ端末に設けられたＣＰＵの動作の他の一部を示すフロー図である。
【図３９】検像端末のモニタに表示される個人線量評価画面の他の一例を示す図解図である。
【図４０】検像端末のモニタに表示される個人線量評価画面のその他の一例を示す図解図である。
【発明を実施するための形態】
【００２５】
図１を参照して、この実施例の医療システムは、医療施設内に設けられた院内ＬＡＮ１００と、院内ＬＡＮ１００によって互いに接続されたＨＩＳサーバ２０，ＲＩＳサーバ３０，コンソール５０，検像サーバ７０，ＰＡＣＳ９０とを備える。ＨＩＳ端末１０はＨＩＳサーバ２０に接続され、放射線科情報端末（以下、単に「ＲＩＳ端末」という。）４０はＲＩＳサーバ３０に接続され、放射線撮影装置（以下、単に「撮影装置」と言う。）６０はコンソール５０に接続され、検像端末（「放射線撮影支援装置」と呼んでもよい。）８０は検像サーバ７０に接続される。
【００２６】
このうち、ＲＩＳサーバ３０，ＲＩＳ端末４０，コンソール５０および撮影装置６０は、放射線科に設けられる。また、ＲＩＳ端末４０，コンソール５０および検像端末８０は、放射線撮影支援システムを構成する。
【００２７】
ＲＩＳ端末４０は、図２に示すように構成される。図２によれば、バスＢＳ４には、通信Ｉ／Ｆ４０ｃｓ，ＣＰＵ４０ｐｒ，キーボード／マウス４０ｋｍ，モニタ４０ｍｔ，ＤＲＡＭ４０ｍｍおよびＨＤＤ４０ｄｒが接続される。ＲＩＳサーバ３０とは通信Ｉ／Ｆ４０ｃｓによって接続され、ＲＩＳサーバ３０とのやり取りは通信Ｉ／Ｆ４０ｃｓを介して実行される。
【００２８】
検像端末８０もまた、図２に示すように構成される。バスＢＳ８には、通信Ｉ／Ｆ８０ｃｓ，ＣＰＵ８０ｐｒ，キーボード／マウス８０ｋｍ，モニタ８０ｍｔ，ＤＲＡＭ８０ｍｍおよびＨＤＤ８０ｄｒが接続される。検像サーバ７０とは通信Ｉ／Ｆ８０ｃｓによって接続され、ＲＩＳサーバ３０とのやり取りは通信Ｉ／Ｆ８０ｃｓを介して実行される。
【００２９】
ＲＩＳサーバ３０は、図３に示すように構成される。図３によれば、バスＢＳ３には、通信Ｉ／Ｆ３０ｃｎ，ＣＰＵ３０ｐｒ，ＤＲＡＭ３０ｍｍ，通信Ｉ／Ｆ３０ｃｔおよびＨＤＤ３０ｄｒが接続される。院内ＬＡＮ１００とは通信Ｉ／Ｆ３０ｃｎによって接続され、ＲＩＳ端末４０とは通信Ｉ／Ｆ３０ｃｔによって接続される。したがって、院内ＬＡＮ１００とのやり取りは通信Ｉ／Ｆ３０ｃｎを介して実行され、ＲＩＳ端末４０とのやり取りは通信Ｉ／Ｆ３０ｃｔを介して実行される。なお、ＨＤＤ３０ｄｒには、データベースＤＢ１が設けられる。
【００３０】
検像サーバ７０もまた、図３に示すように構成される。バスＢＳ７には、通信Ｉ／Ｆ７０ｃｎ，ＣＰＵ７０ｐｒ，ＤＲＡＭ７０ｍｍ，通信Ｉ／Ｆ７０ｃｔおよびＨＤＤ７０ｄｒが接続される。院内ＬＡＮ１００とは通信Ｉ／Ｆ７０ｃｎによって接続され、検像端末８０とは通信Ｉ／Ｆ７０ｃｔによって接続される。したがって、院内ＬＡＮ１００とのやり取りは通信Ｉ／Ｆ７０ｃｎを介して実行され、検像端末８０とのやり取りは通信Ｉ／Ｆ７０ｃｔを介して実行される。なお、ＨＤＤ７０ｄｒには、図５，図６および図７にそれぞれ示すレジスタＲＧＳＴ１，ＲＧＳＴ２およびＲＧＳＴ３が設けられる。
【００３１】
コンソール５０は、図４に示すように構成される。図４によれば、バスＢＳ５には、通信Ｉ／Ｆ５０ｃｎ，ＣＰＵ５０ｐｒ，キーボード／マウス５０ｋｍ，モニタ５０ｍｔ，ＤＲＡＭ５０ｍｍ，ＨＤＤ５０ｄｒおよび通信Ｉ／Ｆ５０ｃｍが接続される。院内ＬＡＮ１００とは通信Ｉ／Ｆ５０ｃｎによって接続され、撮影装置６０とは通信Ｉ／Ｆ５０ｃｍによって接続される。したがって、院内ＬＡＮ１００とのやり取りは通信Ｉ／Ｆ５０ｃｎを介して実行され、撮影装置６０とのやり取りは通信Ｉ／Ｆ５０ｃｍを介して実行される。
【００３２】
図５を参照して、レジスタＲＧＳＴ１は、後述する統計グラフを作成する際に参照される集計設定を登録するためのレジスタであり、検査部位，検査目的，プロトコル名，シリーズ名，単純・造影の区別，撮影装置の種別，検査日付の範囲，年齢の範囲，体重の範囲を項目として有する。
【００３３】
図６を参照して、レジスタＲＧＳＴ２は、ＤＲＲ情報を検査部位毎に登録するためのレジスタである。ここで、検査部位としては、“頭部”，“胸部”，“胸腹部”，“腹部”，“肝臓ダイナミック”，“冠動脈”，“小児頭部”，“小児胸部”，“小児腹部”が想定される。また、ＤＲＲ情報は患者が被ばくする放射線量の推奨範囲を示す情報であり、推奨範囲の上方値および下方値は“ｍＧｙ”を単位とするＳＳＤＥ値で表現される。
【００３４】
上方値および下方値は、Ｄｗ値が１５ｃｍ未満の範囲，Ｄｗ値が１５ｃｍ以上２０ｃｍ未満の範囲，Ｄｗ値が２０ｃｍ以上２５ｃｍ未満の範囲，Ｄｗ値が２５ｃｍ以上３０ｃｍ未満の範囲，Ｄｗ値が３０ｃｍ以上の範囲の各々に割り当てられる。なお、Ｄｗ値は、患者の体格に相関する係数であり、撮影装置６０の予備撮影（後述）によって検出される。
【００３５】
図７を参照して、レジスタＲＧＳＴ３は、後述する検査情報シートの原因・対策欄に記載されたコメントを登録するためのレジスタである。コメントは、検査情報シートに記載された患者と同じ患者を対象として次回の放射線撮影を行う際の注意事項であり、検査情報シートのＩＤとともにレジスタＲＧＳＴ３に登録される。
【００３６】
ＲＩＳサーバ３０に設けられたＣＰＵ３０ｐｒは、図１９〜図２０に示すフロー図に従う処理を実行し、ＲＩＳ端末４０に設けられたＣＰＵ４０ｐｒは、図２１〜図２３に示すフロー図に従う処理を実行する。また、コンソール５０に設けられたＣＰＵ５０ｐｒは、図２４〜図２５に示すフロー図に従う処理を実行し、検像端末８０に設けられたＣＰＵ８０ｐｒは、図２６〜図３６に示すフロー図に従う処理を実行する。
【００３７】
図１９〜図２０に示すフロー図に対応する制御プログラムはＨＤＤ３０５に記憶され、図２１〜図２３に示すフロー図に対応する制御プログラムはＨＤＤ４０６に記憶され、図２４〜図２５に示すフロー図に対応する制御プログラムはＨＤＤ５０６に記憶され、図２６〜図３６に示すフロー図に対応する制御プログラムはＨＤＤ８０６に記憶される。以下では、可能な限り患者の受診の流れに沿って各フロー図の処理を説明する。
【００３８】
主治医は、医療施設を訪れた患者を診断し、ＨＩＳ端末１０を操作して検査オーダを作成する。ＨＩＳサーバ２０は、主治医によって作成された検査オーダを院内ＬＡＮ１００を介してＲＩＳサーバ３０に通知する。図１９に示すステップＳ１では、こうして通知された検査オーダが受信されたか否かを判別する。
【００３９】
判別結果がＮＯであればそのままステップＳ５に進み、判別結果がＹＥＳであればステップＳ３で以下の処理を実行してからステップＳ５に進む。つまり、ステップＳ３では、通知された検査オーダに基づいて検査情報シートを作成し、作成された検査情報シートをＨＤＤ３０ｄｒに設けられたデータベースＤＢ１に保存する。
【００４０】
検査情報シートには、患者情報（患者名，性別，生年月日，検査日付，外来／入院の区別，身長，体重など）の他に、撮影情報（検査部位，検査目的，プロトコル名，シリーズ名，単純・造影の区別，撮影装置の種別，撮影条件，Ｄｗ値，撮影線量）が記載される。
【００４１】
ここで、撮影条件は、管電圧，管電流，ヘリカルピッチ，ローテーションタイムによって定義される。また、撮影線量は、放射線撮影によって患者が被ばくした放射線量に相当し、上述した“ＳＳＤＥ”と同義である。ただし、ステップＳ３の処理の時点では、撮影条件，Ｄｗ値および撮影線量は未定とされ、検査情報シートのステータスは“受付待ち”を示す。
【００４２】
主治医の診断を受けた患者は放射線科に移動し、放射線撮影を受けることを放射線科の撮影技師に伝える。すると、撮影技師は、ＲＩＳ端末４０のキーボード／マウス４０ｋｍを用いて検査情報シート表示操作を行う。図２１に示すステップＳ３１では、この操作が行われたか否かを繰り返し判別する。判別結果がＮＯからＹＥＳに更新されるとステップＳ３３に進み、シート転送要求をＲＩＳサーバ３０に向けて発行する。
【００４３】
図１９に戻って、ステップＳ５では、こうして発行されたシート転送要求を受信したか否かを判別する。判別結果がＹＥＳであればステップＳ７に進み、ステータスが“受付待ち”を示す検査情報シートをデータベースＤＢ１から探索する。ステップＳ９では探索結果が“探知”を示すか否かを判別し、判別結果がＮＯであればステップＳ１に戻る一方、判別結果がＹＥＳであればステップＳ１１に進む。ステップＳ１１では、探知した検査情報シートをＲＩＳ端末４０に転送する。
【００４４】
図２１を参照して、ステップＳ３５ではＲＩＳサーバ３０から検査情報シートを受信したか否かを判別し、ステップＳ３７ではタイムアウトが生じたか否かを判別する。ステップＳ３５の判別結果およびステップＳ３７の判別結果のいずれもがＮＯであればステップＳ３５に戻り、ステップＳ３７の判別結果がＹＥＳであればステップＳ３１に戻り、ステップＳ３５の判別結果がＹＥＳであればステップＳ３９に進む。
【００４５】
ステップＳ３９では、検査情報シート画面をＤＲＡＭ４０ｍｍに展開する。展開された検査情報シート画面は、モニタ４０ｍｔによって読み出されかつ表示される。検査情報シート画面にはＲＩＳサーバ３０から受信した検査情報シートの記載が反映され、図８に示す要領でモニタ４０ｍｔに表示される。
【００４６】
ステップＳ４１では、受信した検査情報シートのステータスを“受付済み”に変更する。ステップＳ４３では、ＲＩＳサーバ３０を通して検像サーバ７０にアクセスし、今回放射線撮影を受ける患者に対する前回の放射線撮影時に作成された検査情報シートをＨＤＤ７０ｄｒから探索する。なお、このときのＲＩＳサーバ３０の処理は、図２０に示すステップＳ２９で実行される。
【００４７】
ステップＳ４５では探索結果が“探知”を示すか否かを判別し、判別結果がＮＯであればそのままステップＳ５９に進む一方、判別結果がＹＥＳであればステップＳ４７〜Ｓ５７で以下の処理を実行してからステップＳ５９に進む。
【００４８】
なお、以下の処理で参照されるレジスタＲＧＳＴ１〜ＲＧＳＴ３は検像サーバ７０のＨＤＤ７０ｄｒに設けられるため、レジスタＲＧＳＴ１〜ＲＧＳＴ３へのアクセスは、ＲＩＳサーバ３０を通して実行される。このときのＲＩＳサーバ３０の処理も、図２０に示すステップＳ２９で実行される。
【００４９】
ステップＳ４７ではレジスタＲＧＳＴ１から集計設定を検出し、ステップＳ４９ではＲＧＳＴ２からＤＲＲ情報を検出する。また、ステップＳ５１では、ステップＳ４３の処理によって探知した検査情報シートから患者情報および撮影情報を検出する。ステップＳ５３では、こうして検出された集計設定，ＤＲＲ情報，患者情報および撮影情報に基づいて検査ガイドＥＧ１を作成し、作成した検査ガイドＥＧ１をＤＲＡＭ４０ｍｍ上の検査情報シート画面に上書きする。この結果、検査ガイドＥＧ１がモニタ４０ｍｔに追加表示される。
【００５０】
図９を参照して、検査ガイドＥＧ１は上下左右に区分された４つの欄によって形成される。集計設定は、右上欄において文字で表現される。ＤＲＲ情報は、左上欄においてグラフ（横軸：Ｄｗ値，縦軸：ＳＳＤＥ値）で表現されるとともに、右下欄において文字で表現される。患者情報および撮影情報は、左下欄に文字で表現される。
【００５１】
より詳しくは、右上欄には、集計設定のうち“検査部位”，“年齢の範囲”，“プロトコル名”，“単純／造影の区別”および“撮影装置の種別”が記載される。また、右下欄には、Ｄｗ値とＤＲＲ情報との対応関係が記載される。ＤＲＲ情報を定義する上方値および下方値は、集計設定のうちの“検査部位”の項目に対応する。
【００５２】
左下欄には、前回の放射線撮影時に検出されたＤｗ値，前回の撮影線量（前回の放射線撮影時に患者が被ばくした放射線量），前回の撮影条件（管電圧，管電流，ヘリカルピッチ，ローテーションタイム）および前回の放射線撮影時の患者情報（検査日付，年齢）が記載される。左上欄には、右下欄に記載されたＤｗ値とＤＲＲ情報との対応関係を表すグラフが描画され、さらに前回の放射線撮影時のＤｗ値および撮影線量に相当する座標に星印が描画される。
【００５３】
図２２に戻って、ステップＳ５５では、ステップＳ４３の処理によって探知した検査情報シートのＩＤがレジスタＲＧＳＴ３に記載されているか否かを判別する。上述のとおり、レジスタＲＧＳＴ３には、検査情報シートに付された原因・対策のコメントと同じコメントが検査情報シートのＩＤとともに記載される。したがって、ステップＳ５５の処理は、探知した検査情報シートに原因・対策のコメントが付されているか否かを判別する処理に等しい。
【００５４】
ステップＳ５５の判別結果がＮＯであればそのままステップＳ５９に進み、ステップＳ５５の判別結果がＹＥＳであればステップＳ５７で以下の処理を実行してからステップＳ６１に進む。つまり、ステップＳ５７では、ステップＳ４３の処理によって探知した検査情報シートのＩＤとともに記載されたコメントをレジスタＲＧＳＴ３から検出し、検出したコメントをＤＲＡＭ４０ｍｍ上の検査情報シート画面に上書きする。上書きされたコメントは検査ガイドＥＧ１の一部をなし、モニタ４０ｍｔの表示は図９から図１０に更新される。
【００５５】
撮影技師は、こうして表示された検査ガイドＥＧ１を確認することで、どのような撮影条件で放射線撮影を実行するのが患者にとって最適であるかを判断することができる。
【００５６】
ステップＳ５９ではキーボード／マウス４０ｋｍによって終了操作が行われたか否かを判別し、ステップＳ６１ではキーボード／マウス４０ｋｍによって他の操作が行われたか否かを判別する。
【００５７】
ステップＳ５９の判別結果およびステップＳ６１の判別結果のいずれもがＮＯであれば、ステップＳ５９に戻る。ステップＳ６１の判別結果がＹＥＳであれば他の処理に進み、ステップＳ５９の判別結果がＹＥＳであればステップＳ６３に進む。
【００５８】
ステップＳ６３では、検査情報シート画面をＤＲＡＭ４０ｍｍから消去する。この結果、検査情報シート画面がモニタ４０ｍｔから消失する。ステップＳ６５では、ステップＳ４１の処理を施された検査情報シート（＝ステータスが“受付済み”に変更された検査情報シート）を終了通知とともにＲＩＳサーバ３０に転送する。転送が完了すると、ステップＳ３１に戻る。
【００５９】
図１９に示すステップＳ１３では、こうして転送された終了通知を受信したか否かを繰り返し判別する。判別結果がＮＯからＹＥＳに更新されると、ステップＳ１５に進み、終了通知とともに受信した検査情報シートをデータベースＤＢ１に上書き保存する。ステップＳ１５の処理が完了すると、ステップＳ１に戻る。
【００６０】
こうして検査オーダの受け付けが完了すると、撮影技師は、撮影装置６０に患者を配置し、コンソール５０と向き合う。図２４を参照して、ステップＳ７１ではシート転送要求をＭＷＭ方式でＲＩＳサーバ３０に発行する。図２０に示すステップＳ１７では、コンソール５０から発行されたシート転送要求を受信したか否かを判別する。判別結果がＮＯであればステップＳ２９の処理を経てステップＳ１に戻る一方、判別結果がＹＥＳであればステップＳ１９に進む。
【００６１】
ステップＳ１９ではステータスが“受付済み”を示す検査情報シートをデータベースＤＢ１から探索し、ステップＳ２１では探索結果が“探知”を示すか否かを判別する。判別結果がＮＯであればステップＳ１に戻る一方、判別結果がＹＥＳであればステップＳ２３に進む。ステップＳ２３では、探知した検査情報シートをＭＷＭ方式でコンソール５０に転送する。
【００６２】
ステップＳ７３では検査情報シートをＲＩＳサーバ３０から受信したか否かを判別し、判別結果がＮＯであればステップＳ７１に戻る一方、判別結果がＹＥＳであればステップＳ７５に進む。ステップＳ７５では、図１１に示す線量情報画面をＤＲＡＭ５０ｍｍに展開する。展開された線量情報画面は、モニタ５０ｍｔによって読み出されかつ表示される。
【００６３】
図１１を参照して、線量情報画面の右欄には、予備撮影時の撮影条件を定義する管電圧，管電流，ヘリカルピッチおよびローテーションタイムが表示される。ただし、この時点では、Ｄｗ値および撮影線量は空欄とされ、線量情報画面の左欄もまた黒画像で塗り潰される。
【００６４】
ステップＳ７７ではキーボード／マウス５０ｋｍによって予備撮影操作が行われたか否かを繰り返し判別し、判別結果がＮＯからＹＥＳに更新されるとステップＳ７９で予備撮影を実行する。
【００６５】
ステップＳ８１では、予備撮影によって得られた撮影画像に基づいてＤｗ値を算出するとともに、デフォルトの撮影条件で放射線撮影を実行した場合に患者が被ばくする放射線量つまり撮影線量を算出する。ステップＳ８３では、線量情報画面を更新する。更新後の線量情報画面には、予備撮影によって得られた撮影画像と、デフォルトの撮影条件を定義する管電圧，管電流，ヘリカルピッチおよびローテーションタイムと、ステップＳ８１で算出されたＤｗ値および撮影線量とが、線量情報画面に表示される。
【００６６】
ステップＳ８５ではキーボード／マウス５０ｋｍによって撮影条件調整操作が行われたか否かを判別し、判別結果がＮＯであればそのままステップＳ９１に進む一方、判別結果がＹＥＳであればステップＳ８７で撮影条件を調整してからステップＳ８９に進む。ステップＳ８９では、線量情報画面に表示された管電圧，管電流，ヘリカルピッチおよびローテーションタイムを調整後の撮影条件を定義する数値に更新し、線量情報画面に表示された撮影線量を更新後の撮影条件とステップＳ８１で算出されたＤｗ値とに基づいて更新する。
【００６７】
ステップＳ９１ではキーボード／マウス５０ｋｍによって撮影実行操作が行われたか否かを判別し、判別結果がＮＯであればステップＳ８５に戻る一方、判別結果がＹＥＳであればステップＳ９３で放射線撮影を実行する。この結果、検査部位の断層を表す撮影画像が得られる。
【００６８】
ステップＳ９５では、こうして得られた撮影画像を収めたＤＩＣＯＭファイルを作成する。ステップＳ９７では、作成されたＤＩＣＯＭファイルを院内ＬＡＮ１００を介して検像サーバ７０に転送する。転送されたＤＩＣＯＭファイルは、ＨＤＤ７０ｄｒに保存される。
【００６９】
ステップＳ９９では、線量情報画面に表示された撮影条件，Ｄｗ値および撮影線量をステップＳ７１の処理によって受信した検査情報シートに上書きする。ステップＳ１０１では、同じ検査情報シートのステータスを“検査済み”に更新する。
【００７０】
ステップＳ１０１の処理が完了すると、ステップＳ１０３で線量情報画面をＤＲＡＭ５０ｍｍから消去する。この結果、線量情報画面がモニタ５０ｍｔから消失する。ステップＳ１０５では、終了通知をＭＰＰＳ方式でＲＩＳサーバ３０に転送する。ステップＳ１０７では、ステップＳ９９およびＳ１０１の処理を施された検査情報シートを検像サーバ７０に転送する。転送された検査情報シートは、検像サーバ７０に設けられたＨＤＤ７０ｄｒに保存される。ステップＳ１０７の処理が完了するとステップＳ７１に戻る。
【００７１】
図２０に示すステップＳ２５では、こうして転送された終了通知を受信したか否かを繰り返し判別する。判別結果がＮＯからＹＥＳに更新されると、ステップＳ２７に進み、データベースＤＢ１上の対応する検査情報シートを消去する。ステップＳ２７の処理が完了すると、ステップＳ１に戻る。
【００７２】
検像技師は、検像サーバ７０に保存されたＤＩＣＯＭファイルを対象として検像作業を行うために検像端末８０に向かう。図２６を参照して、ステップＳ１１１では、図３３に示すサブルーチンに従って基本画面をモニタ８０ｍｔに表示する。
【００７３】
図３３に示すステップＳ１１１０１では、基本画面の枠をＤＲＡＭ８０ｍｍに展開する。展開された基本画面はモニタ８０ｍｔによって読み出され、図１２に示す要領で表示される。図１２によれば、複数の検査情報シートにそれぞれ対応する複数のカラム（識別情報欄）が基本画面の上段に表示され、「線量管理」ボタンが基本画面の右上に表示される。ただし、この時点では、基本画面の上段は空欄とされる。
【００７４】
ステップＳ１１１０３では検像サーバ７０に設けられたレジスタＲＧＳＴ２からＤＲＲ情報（＝９つの検査部位の各々に対応する５つの上方値および５つの下方値）を取得し、ステップＳ１１１０５では変数Ｋを“１”に設定する。
【００７５】
ステップＳ１１１０７では検像サーバ７０に設けられたＨＤＤ７０ｄｒからＫ番目の検査情報シートを取得し、ステップＳ１１１０９ではＫ番目のカラムを基本画面の上段に作成する。Ｋ番目のカラムはＫ番目の検査情報シートに対応するカラムであり、Ｋ番目の検査情報シートに記載された検査情報および撮影情報がＫ番目のカラム上に記載される。
【００７６】
ステップＳ１１１１１では、Ｋ番目の検査情報シートから検査部位および撮影線量を検出する。ステップＳ１１１１３では、ステップＳ１１１１１で検出した検査部位に対応するＤＲＲ情報を特定し、ステップＳ１１１１１で検出した撮影線量がＤＲＲ情報によって定義される推奨範囲外であるか否かを判別する。
【００７７】
判別結果がＮＯであればそのままステップＳ１１１１７に進み、判別結果がＹＥＳであればステップＳ１１１１５でアラートＡＬＴをＫ番目のカラムに多重表示してからステップＳ１１１１７に進む。ステップＳ１１１１５の処理の結果、推奨範囲を外れる放射線量の曝射を伴う放射線撮影に対応するカラムが“既定条件に合致するカラム”として検出され、検出されたカラムが視覚的に区別される。
【００７８】
ステップＳ１１１１７では変数Ｋをインクリメントし、ステップＳ１１１１９ではインクリメントされた変数Ｋが最大値Ｋｍａｘ（Ｋｍａｘ：ＨＤＤ７０ｄｒに保存された検査情報シートの総数）を上回るか否かを判別する。判別結果がＮＯであればステップＳ１１１０７に戻り、判別結果がＹＥＳであれば上階層のルーチンに復帰する。
【００７９】
検像技師は、こうして表示された基本画面を確認しながらキーボード／マウス８０ｋｍを操作する。図２６に戻って、ステップＳ１１３ではキーボード／マウス８０ｋｍによってカラム選択操作が行われたか否かを判別し、ステップＳ１１５ではキーボード／マウス８０ｋｍによって「線量管理」ボタンが押されたか否かを判別する。
【００８０】
また、ステップＳ１１７ではキーボード／マウス８０ｋｍによってアラートＡＬＴがクリックされたか否かを判別し、ステップＳ１１９ではキーボード／マウス８０ｋｍによって他の操作が行われたか否かを判別する。
【００８１】
ステップＳ１１３〜Ｓ１１９のいずれの判別結果もＮＯであれば、ステップＳ１１３に戻る。ステップＳ１１３の判別結果がＹＥＳであればステップＳ１２１に進み、ステップＳ１１５の判別結果がＹＥＳであればステップＳ１３３に進む。また、ステップＳ１１７の判別結果がＹＥＳであればステップＳ１６９に進み、ステップＳ１１９の判別結果がＹＥＳであれば他の処理に進む。
【００８２】
ステップＳ１２１では、カラム選択操作によって選択されたカラムに対応するＤＩＣＯＭファイルを検像サーバ７０に設けられたＨＤＤ７０ｄｒから取得する。ステップＳ１２３では、取得したＤＩＣＯＭファイル内の撮影画像をＤＲＡＭ８０ｍｍに展開する。展開された撮影画像はモニタ８０ｍｔによって読み出され、基本画面の代わりに表示される。
【００８３】
ステップＳ１２５ではキーボード／マウス８０ｋｍによって検像完了操作が行われたか否かを判別し、ステップＳ１２７では他の操作が行われたか否かを判別する。ステップＳ１２５の判別結果およびステップＳ１２７の判別結果のいずれもがＮＯであればステップＳ１２５に戻り、ステップＳ１２７の判別結果がＹＥＳであれば他の処理に進み、ステップＳ１２５の判別結果がＹＥＳであればステップＳ１２９に進む。
【００８４】
ステップＳ１２９では、表示中の撮影画像を収めたＤＩＣＯＭファイルのＰＡＣＳ９０への転送を検像サーバ７０に要求する。検像サーバ７０は、対象ＤＩＣＯＭファイルを院内ＬＡＮ１００を介してＰＡＣＳ９０に転送する。ステップＳ１３１では撮影画像をＤＲＡＭ８０ｍｍから消去し、消去が完了するとステップＳ１１１に戻る。この結果、モニタ８０ｍｔの表示は基本画面に復帰する。
【００８５】
ＰＡＣＳ９０に保存されたＤＩＣＯＭファイルは、主治医がＨＩＳ端末１０を操作することで、ＨＩＳ端末１０に転送される。転送されたＤＩＣＯＭファイル内の撮影画像は、主治医の診断のために参照される。
【００８６】
検像技師は、ＤＲＲ情報が示す推奨範囲を医療施設単位で調整するとき、「線量管理」ボタンまたはアラートＡＬＴをクリックする。上述のように、「線量管理」ボタンがクリックされたときはステップＳ１３３に進み、アラートＡＬＴがクリックされたときはステップＳ１６９に進む。
【００８７】
ステップＳ１３３では、線量管理部位画面をＤＲＡＭ８０ｍｍに展開する。展開された線量管理部位画面はモニタ８０ｍｔによって読み出され、図１３に示す要領で表示される。図１３によれば、“頭部”，“胸部”，“胸腹部”，“腹部”，“肝臓ダイナミック”，“冠動脈”，“小児頭部”，“小児胸部”，“小児腹部”の９つの部位ボタンが線量管理部位画面に表示される。また、線量管理部位画面の右上には、「Ｘ」ボタンが表示される。
【００８８】
ステップＳ１３５ではキーボード／マウス８０ｋｍによっていずれかの部位ボタンがクリックされたか否かを判別し、ステップＳ１３７ではキーボード／マウス８０ｋｍによって「Ｘ」ボタンがクリックされたか否かを判別する。
【００８９】
ステップＳ１３５の判別結果およびステップＳ１３７の判別結果のいずれもがＮＯであれば、ステップＳ１３５に戻る。ステップＳ１３７の判別結果がＹＥＳであれば、ステップＳ１３９で線量管理部位画面をＤＲＭ８０ｍｍから消去し、その後にステップＳ１１１に戻る。この結果、モニタ８０ｍｔの表示は基本画面に復帰する。ステップＳ１３５の判別結果がＹＥＳであれば、ステップＳ１４１に進む。
【００９０】
ステップＳ１４１では、図３４に示すサブルーチンに従って施設線量評価画面を表示する。図３４を参照して、ステップＳ１４１０１では施設線量評価画面の枠をＤＲＡＭ８０ｍｍに展開する。展開された枠はモニタ８０ｍｔによって読み出され、図１４に示す要領で表示される。
【００９１】
図１４によれば、Ｄｗ値およびＳＳＤＥ値が横軸および縦軸にそれぞれ割り当てられたグラフが施設線量評価画面の上段に表示され、ＳＳＤＥ値および放射線撮影回数が横軸および縦軸にそれぞれ割り当てられたグラフが施設線量評価画面の下段に表示される。
【００９２】
また、上段のグラフおよび下段のグラフの間には、横方向に移動可能なＤｗ値目盛りが表示される。さらに、施設線量評価画面の右側には「集計設定」ボタン，「個人評価」ボタンおよび「閉じる」ボタンが表示される。
【００９３】
なお、Ｄｗ値目盛りは、デフォルトで“１５ｃｍ”に合わせられる。また、ステップＳ１４１０１の処理の時点では、いずれのグラフも空欄とされる。
【００９４】
ステップＳ１４１０３では、レジスタＲＧＳＴ１に登録された検査部位に対応するＤＲＲ情報（＝５つの上方値および５つの下方値）をレジスタＲＧＳＴ２から検出し、検出したＤＲＲ情報によって定義される２つの線を上段のグラフに描画する。ステップＳ１４１０３ではまた、Ｄｗ値目盛りによって示されるＤｗ値が属する範囲（デフォルトで“１５ｃｍ〜１９ｃｍ”）を検出し、検出した範囲を示す数値と、この範囲に対応する上方値および下方値とを、下段のグラフの右側に表示する。ステップＳ１４１０３ではさらに、上方値および下方値にそれぞれ沿って縦方向に延びる２つの線を下段のグラフに描画する。
【００９５】
ステップＳ１４１０５では、ＨＤＤ７０ｄｒに保存された検査情報シートの中からレジスタＲＧＳＴ１に登録された集計設定に適合する検査情報シートを取得する。ステップＳ１４１０７では、Ｄｗ値目盛りが示すＤｗ値が属する範囲（デフォルトで“１５ｃｍ〜１９ｃｍ”）を検出し、検出した範囲に対応する検査情報シートをステップＳ１４１０５で取得した検査情報シートの中から抽出する。
【００９６】
ステップＳ１４１０９では、抽出した検査情報シートに記載された撮影線量を統計し、統計情報（＝縦に延びる複数の棒）を下段のグラフに描画する。これによって、ＳＳＤＥ値と放射線撮影回数との対応関係が明らかになる。ステップＳ１４１０９ではまた、統計によって得られた平均値，最頻値，最大値および最小値を下段のグラフの右側に表示する。ステップＳ１４１０９の処理が完了すると、上階層のルーチンに復帰する。
【００９７】
図２８に戻って、ステップＳ１４３では、キーボード／マウス８０ｋｍによってＤｗ値目盛り移動操作が行われたか否かを判別する。判別結果がＮＯであればそのままステップＳ１４９に進む一方、判別結果がＹＥＳであればステップＳ１４５およびＳ１４７で以下の処理を実行してからステップＳ１４９に進む。
【００９８】
つまり、ステップＳ１４５では、Ｄｗ値目盛りを指定方向に移動させる。ステップＳ１４７では、移動後のＤｗ値目盛りが示すＤｗ値が属する範囲を特定し、上述のステップＳ１４１０７〜Ｓ１４１０９と同様の処理によって統計情報を更新する。
【００９９】
ステップＳ１４９ではキーボード／マウス８０ｋｍによって「閉じる」ボタンがクリックされたか否かを判別し、ステップＳ１５３ではキーボード／マウス８０ｋｍによって「個人評価」ボタンがクリックされたか否かを判別し、ステップＳ１５５ではキーボード／マウス８０ｋｍによって「集計設定」ボタンがクリックされたか否かを判別する。
【０１００】
ステップＳ１４９，Ｓ１５３およびＳ１５５のいずれの判別結果もＮＯであればステップＳ１４１に戻る。ステップＳ１４９の判別結果がＹＥＳであれば、ステップＳ１５１で施設線量評価画面をＤＲＭ８０ｍｍから消去し、その後にステップＳ１３３に戻る。この結果、モニタ８０ｍｔの表示は線量管理部位画面に復帰する。
【０１０１】
ステップＳ１５５の判別結果がＹＥＳであれば、ステップＳ１５７で集計設定画面をＤＲＡＭ８０ｍｍに展開する。展開された集計設定画面はモニタ８０ｍｔによって読み出され、図１５に示す要領で表示される。
【０１０２】
図１５によれば、集計設定画面は、検査部位，検査目的，プロトコル名，シリーズ名，単純・造影の区別，撮影装置の種別，検査日付の範囲，年齢の範囲，体重の範囲を項目として有する。また、集計設定画面の右下には、「設定」ボタンおよび「閉じる」ボタンが表示される。
【０１０３】
ステップＳ１５９ではキーボード／マウス８０ｋｍによって設定変更操作（＝所望の項目の記載を変更し、かつ「設定」ボタンをクリックする操作）が行われたか否かを判別し、判別結果がＮＯであればそのままステップＳ１６３に進む一方、判別結果がＹＥＳであればステップＳ１６１でレジスタＲＧＳＴ１の設定を変更してからステップＳ１６３に進む。
【０１０４】
ステップＳ１６３では、キーボード／マウス８０ｋｍによって「閉じる」ボタンがクリックされたか否かを判別する。判別結果がＮＯであればステップＳ１５９に戻る一方、判別結果がＹＥＳであればステップＳ１６５で集計設定画面をＤＲＭ８０ｍｍから消去する。
【０１０５】
ステップＳ１６７では、上述したステップＳ１４１０３〜Ｓ１４１０９と同様の処理によってＤＲＲ情報および／または統計情報を更新する。ステップＳ１６７の処理が完了すると、ステップＳ１４１に戻る。この結果、モニタ８０ｍｔの表示は施設線量評価画面に復帰する。
【０１０６】
ステップＳ１５３の判別結果がＹＥＳであればステップＳ１６９に進み、図３５〜図３６に示すサブルーチンに従って個人線量評価画面を表示する。なお、ステップＳ１６９の処理は、アラートＡＬＴがクリックされたときにも実行される（図２６のステップＳ１１７参照）。
【０１０７】
図３５を参照して、ステップＳ１６９０１では個人線量評価画面の枠をＤＲＡＭ８０ｍｍに展開する。展開された枠はモニタ８０ｍｔによって読み出され、図１６に示す要領で表示される。ただし、現時点では、個人線量評価画面の右側に「ＤＲＲ設定」ボタンおよび「閉じる」ボタンが表示されるに留まる。
【０１０８】
ステップＳ１６９０３では、今回のサブルーチンを起動させたトリガが施設線量評価画面上で「個人評価」ボタンをクリックする操作および基本画面上でアラートＡＬＴをクリックする操作のいずれであるかを判別する。トリガが前者であればステップＳ１６９０５に進み、トリガが後者であればステップＳ１６９１７に進む。
【０１０９】
ステップＳ１６９０５では施設線量評価画面の下段に現れたグラフおよび数値情報を抽出し、ステップＳ１６９０７では抽出したグラフおよび数値情報を個人線量評価画面の上段に上書きする。また、ステップＳ１６９０９では、横方向に移動可能なＳＳＤＥ値目盛りを個人線量評価画面の中段に上書きする。この結果、上書きされたグラフ，数値情報およびＳＳＤＥ値目盛りが、モニタ８０ｍｔに追加表示される。
【０１１０】
ステップＳ１６９１１では、ＳＳＤＥ値目盛りが示すＳＳＤＥ値に合致する検査情報シートを検像サーバ７０に設けられたＨＤＤ７０ｄｒから検出する。ステップＳ１６９１３では、検出した検査情報シートに対応するＤＩＣＯＭファイルを検像サーバ７０に設けられたＨＤＤ７０ｄｒから取得する。
【０１１１】
ステップＳ１６９１５では、ステップＳ１６９１１で検出した検査情報シートおよびステップＳ１６９１３で取得したＤＩＣＯＭファイルに基づいて、個人線量評価画面の下段に患者ページを作成する。この結果、患者ページがモニタ８０ｍｔに追加表示される。
【０１１２】
図１６から分かるように、患者ページには、検査情報シート上の撮影情報が記載され、かつＤＩＣＯＭファイルに収められた撮影画像が表示される。この実施例では、こうして表示された撮影情報および撮影画像を放射線撮影の詳細情報と定義する。
【０１１３】
患者ページにはまた、患者識別タブが付され、かつ「原因・対策」ボタンが多重表示される。なお、検出された検査情報シートの枚数が２以上であれば、２以上の患者ページが重ねて表示される。患者ページの表示が完了すると、上階層のルーチンに復帰する。
【０１１４】
図３６に示すステップＳ１６９１７では、レジスタＲＧＳＴ１に登録された検査部位に対応するＤＲＲ情報（＝５つの上方値および５つの下方値）をレジスタＲＧＳＴ２から検出し、アラートクリック操作によって選択された検査情報シート上のＤｗ値が属する範囲を検出する。
【０１１５】
ステップＳ１６９１７ではまた、検出した範囲を示す数値とこの範囲に対応する上方値および下方値とを上段のグラフの右側に表示する。ステップＳ１６９１７ではさらに、検出した範囲に対応する上方値および下方値にそれぞれ沿って縦方向に延びる２つの線を上段のグラフに描画する。
【０１１６】
ステップＳ１６９１９では、ＨＤＤ７０ｄｒに保存された検査情報シートの中からレジスタＲＧＳＴ１に登録された集計設定に適合する検査情報シートを取得する。ステップＳ１６９２１では、ステップＳ１６９１７で検出した範囲に対応する検査情報シートをステップＳ１６９１９で取得した検査情報シートの中から抽出する。
【０１１７】
ステップＳ１６９２３では、抽出した検査情報シートに記載された撮影線量を統計し、統計情報（＝縦に延びる複数の棒）を上段のグラフに描画する。ステップＳ１６９２３ではまた、統計によって得られた平均値，最頻値，最大値および最小値を上段のグラフの右側に表示する。
【０１１８】
ステップＳ１６９２５では、横方向に移動可能なＳＳＤＥ値目盛りを個人線量評価画面の中段に上書きする。この結果、ＳＳＤＥ値目盛りが、モニタ８０ｍｔに追加表示される。上書きされたＳＳＤＥ値目盛りは、アラートＡＬＴをクリックする操作によって選択された検査情報シート上のＳＳＤＥ値を示す。
【０１１９】
ステップＳ１６９２７では、アラートＡＬＴをクリックする操作によって選択された検査情報シートに対応するＤＩＣＯＭファイルを検像サーバ７０に設けられたＨＤＤ７０ｄｒから取得する。
【０１２０】
ステップＳ１６９２９では、アラートクリック操作によって選択された検査情報シートおよびステップＳ１６９２７で取得したＤＩＣＯＭファイルに基づいて、個人線量評価画面の下段に患者ページを作成する。この結果、患者ページがモニタ８０ｍｔに追加表示される。ステップＳ１６９２９の処理が完了すると、上階層のルーチンに復帰する。
【０１２１】
図３０に戻って、ステップＳ１７１ではこうして表示された患者ページ数が“２”以上であるか否かを判別し、ステップＳ１７３ではキーボード／マウス８０ｋｍによって患者識別タブがクリックされたか否かを判別する。ステップＳ１７１の判別結果およびステップＳ１７３の判別結果のいずれか一方がＮＯであれば、そのままステップＳ１７７に進む。
【０１２２】
これに対して、ステップＳ１７１の判別結果およびステップＳ１７３の判別結果のいずれもがＹＥＳであれば、ステップＳ１７５で患者ページの配置を更新し、その後にステップＳ１７７に進む。
【０１２３】
ステップＳ１７７ではキーボード／マウス８０ｋｍによって「原因・対策」ボタンがクリックされたか否かを判別し、ステップＳ１７９ではキーボード／マウス８０ｋｍによって「ＤＲＲ設定」ボタンがクリックされたか否かを判別する。また、ステップＳ１８１ではＳＳＤＥ値目盛り移動操作が行われたか否かを判別し、ステップＳ１８３ではキーボード／マウス８０ｋｍによって「閉じる」ボタンがクリックされたか否かを判別する。
【０１２４】
ステップＳ１７７〜Ｓ１８３のいずれの判別結果もＮＯであれば、そのままステップＳ１７１に戻る。ステップＳ１８１の判別結果がＹＥＳであればステップＳ１８５に進み、上述したステップＳ１６９０９〜Ｓ１６９１５と同様の処理によって個人線量評価画面を更新する。更新が完了すると、ステップＳ１７１に戻る。
【０１２５】
ステップＳ１８３の判別結果がＹＥＳであれば、ステップＳ１８７で個人線量評価画面をＤＲＡＭ８０ｍｍから消去し、その後にステップＳ１４１に戻る。この結果、モニタ８０ｍｔの表示は施設線量評価画面に復帰する。ステップＳ１７７の判別結果がＹＥＳであればステップＳ１８９に進み、ステップＳ１７９の判別結果がＹＥＳであればステップＳ２０７に進む。
【０１２６】
ステップＳ１８９では、原因・対策入力欄を患者ページ上に作成する。原因・対策入力欄は、図１７に示す要領で表示される。なお、原因・対策のコメントが作成済みであれば（コメントがレジスタＲＧＳＴ３に存在すれば）、当該コメントが原因・対策入力欄に表示される。
【０１２７】
ステップＳ１９１ではキーボード／マウス８０ｋｍによってコメント入力操作（＝文字キーを１回押下する操作）が行われたか否かを判別し、判別結果がＮＯであればそのままステップＳ１９５に進む。これに対して、判別結果がＹＥＳであればステップＳ１９３に進み、入力されたコメントを原因・対策入力欄に表示する。表示が完了すると、ステップＳ１９５に進む。
【０１２８】
ステップＳ１９５ではキーボード／マウス８０ｋｍによって確定操作（＝Ｅｎｔｅｒキーを押下する操作）が行われたか否かを判別し、ステップＳ１９７ではキーボード／マウス８０ｋｍによって「ＤＲＲ設定」ボタンがクリックされたか否かを判別する。
【０１２９】
ステップＳ１９５の判別結果およびステップＳ１９７の判別結果のいずれもがＮＯであればステップＳ１９１に戻り、ステップＳ１９７の判別結果がＹＥＳであればステップＳ２０７に進み、ステップＳ１９５の判別結果がＹＥＳであればステップＳ１９９に進む。
【０１３０】
ステップＳ１９９では原因・対策入力欄にコメントが表示されているか否かを判別し、判別結果がＹＥＳであればステップＳ２０１に進む一方、判別結果がＮＯであればステップＳ２０３に進む。
【０１３１】
ステップＳ２０１では、患者ページの作成時に参照された検査情報シートのＩＤと原因・対策のコメントとをレジスタＲＧＳＴ３に登録する。これに対して、ステップＳ２０３では原因・対策入力欄を患者ページから消去し、ステップＳ２０５では患者ページの作成時に参照された検査情報シートのＩＤと原因・対策のコメントとをレジスタＲＧＳＴ３から削除する。ステップＳ２０１またはＳ２０５の処理が完了すると、ステップＳ１６９に戻る。
【０１３２】
ステップＳ２０７では、ＤＲＲ設定画面をＤＲＡＭ８０ｍｍに展開する。展開されたＤＲＲ設定画面はモニタ８０ｍｔによって読み出され、図１８に示す要領で表示される。
【０１３３】
図１８によれば、現時点のＳＳＤＥの値がＤＲＲ設定画面に上段に表示され、「現在のＳＳＤＥを上方値に設定する」ボタンおよび「現在のＳＳＤＥを下方値に設定する」ボタンがＤＲＲ設定画面の中段に表示される。また、上方値の入力欄および下方値の入力欄がＤＲＲ設定画面の下段に表示される。さらに、ＤＲＲ設定画面の右下には、「設定」ボタンおよび「閉じる」ボタンが表示される。
【０１３４】
ステップＳ２０９では、キーボード／マウス８０ｋｍによって上方値または下方値が入力されたか否かを判別する。判別結果がＹＥＳであればステップＳ２１３に進み、入力された上方値または下方値を上方値の入力欄または下方値の入力欄に表示する。ステップＳ２１５ではキーボード／マウス８０ｋｍによって「設定」ボタンがクリックされたか否かを判別し、判別結果がＮＯであればステップＳ２０９に戻る一方、判別結果がＹＥＳであればステップＳ２１７に進む。
【０１３５】
ステップＳ２０９の判別結果がＮＯであれば、「現在のＳＳＤＥを上方値に設定する」ボタンまたは「現在のＳＳＤＥを下方値に設定する」ボタンがキーボード／マウス８０ｋｍによってクリックされたか否かをステップＳ２１１で判別する。判別結果がＮＯであればステップＳ２０９に戻り、判別結果がＹＥＳであればステップＳ２１７に進む。
【０１３６】
ステップＳ２１７では、入力された上方値または下方値あるいは現在の上方値または下方値をレジスタＲＧＳＴ２に登録する。登録先は、現時点で選択されている検査部位とＤｗ値目盛りによって示されたＤｗ値を含む範囲に対応するカラムである。
【０１３７】
ステップＳ２１９ではキーボード／マウス８０ｋｍによって「閉じる」ボタンがクリックされたか否かを判別し、判別結果がＮＯであればステップＳ２０９に戻る一方、判別結果がＹＥＳであればステップＳ２２１でＤＲＲ設定画面をＤＲＡＭ８０ｍｍから消去してからステップＳ１６９に戻る。この結果、ステップＳ１６９の処理が再起動され、更新されたＤＲＲ情報が個人線量評価画面に反映される。
【０１３８】
以上の説明から分かるように、検像端末８０に設けられたＣＰＵ８０ｐｒは、放射線撮影時に設定されたＳＳＤＥ値と放射線撮影回数との関係を表すグラフをモニタ８０ｍｔに表示する(S14107, S14109, S16905, S16907)。ＳＳＤＥ値目盛り移動操作は、所望のＳＳＤＥ値を指定するための操作であり、グラフを表示する処理に関連して受け付けられる(S181)。ＣＰＵ８０ｐｒは、これによって指定されたＳＳＤＥ値に対応する放射線撮影を検出し(S185, S16911)、検出した放射線撮影の詳細情報が描かれた患者ページをモニタ８０ｍｔに追加的に表示する(S185, S16913, S16915)。ＣＰＵ８０ｐｒはまた、ＳＳＤＥ値の推奨範囲を調整する調整操作（「ＤＤＲ設定」ボタンをクリックし、推奨範囲の上方値／下方値を入力し、「設定」ボタンをクリックする操作）を、患者ページの表示に関連して受け付ける(S179, S197, S209, S215)。
【０１３９】
このように、グラフは放射線撮影時に設定されたＳＳＤＥ値と放射線撮影回数との関係を表すところ、ＳＳＤＥ値目盛り移動操作によって所望のＳＳＤＥ値が指定されると、指定されたＳＳＤＥ値に対応する放射線撮影が検出され、検出された詳細情報が描かれた患者ページが追加的に表示される。
【０１４０】
これを踏まえて、ＳＳＤＥ値の推奨範囲を調整する調整操作は、患者ページの表示に関連して受け付けられる。この結果、患者ページを確認しながらＳＳＤＥ値の推奨範囲を調整することができ、推奨範囲を調整する際の操作性が向上する。
【０１４１】
なお、上述の実施例では、撮影画像を撮影情報から区分しているが、撮影画像を撮影情報に含めるようにしてもよい。
【０１４２】
また、この実施例では、放射線撮影の際にコメントが検査情報シートに入力されることはないが、このタイミングでコメントを入力するようにしてもよい。この場合、図２３に示すフロー図は、図３８に示すように部分的に修正する必要がある。
【０１４３】
図３８を参照して、ステップＳ５９の判別結果がＮＯであれば、キーボード／マウス４０ｋｍによってコメント入力操作が行われたか否かを判別する。判別結果がＮＯであればそのままステップＳ６１に進む一方、判別結果がＹＥＳであればステップＳ６９で以下の処理を実行してからステップＳ６１に進む。
【０１４４】
つまり、ステップＳ６９では、コメント入力操作によって入力されたコメントを検査情報シートの撮影時コメント欄に表示する。図３７に示すように、撮影時コメント欄は、検査情報シートの右下に設けられる。たとえば“ＡＥＣ未使用”の文字列がコメント入力操作によって入力されると、この文字列が撮影時コメント欄に表示される。
【０１４５】
こうして入力されたコメントは、撮影情報の一部をなす。したがって、図３５に示すステップＳ１６９１５または図３６に示すステップＳ１６９２９の処理が実行されることで、“ＡＥＣ未使用”の文字列が患者ページに表示される（図３９，図４０参照）。
【符号の説明】
【０１４６】
３０  …ＲＩＳサーバ
４０  …ＲＩＳ端末
５０…コンソール
６０  …モダリティ
７０  …検像サーバ
８０  …検像端末
９０  …ＰＡＣＳ
３０２，４０２，５０２，７０２，８０２  …ＣＰＵ
【図１】
2018038448.tif 000003
【図２】
2018038448.tif 000004
【図３】
2018038448.tif 000005
【図４】
2018038448.tif 000006
【図５】
2018038448.tif 000007
【図６】
2018038448.tif 000008
【図７】
2018038448.tif 000009
【図８】
2018038448.tif 000010
【図９】
2018038448.tif 000011
【図１０】
2018038448.tif 000012
【図１１】
2018038448.tif 000013
【図１２】
2018038448.tif 000014
【図１３】
2018038448.tif 000015
【図１４】
2018038448.tif 000016
【図１５】
2018038448.tif 000017
【図１６】
2018038448.tif 000018
【図１７】
2018038448.tif 000019
【図１８】
2018038448.tif 000020
【図１９】
2018038448.tif 000021
【図２０】
2018038448.tif 000022
【図２１】
2018038448.tif 000023
【図２２】
2018038448.tif 000024
【図２３】
2018038448.tif 000025
【図２４】
2018038448.tif 000026
【図２５】
2018038448.tif 000027
【図２６】
2018038448.tif 000028
【図２７】
2018038448.tif 000029
【図２８】
2018038448.tif 000030
【図２９】
2018038448.tif 000031
【図３０】
2018038448.tif 000032
【図３１】
2018038448.tif 000033
【図３２】
2018038448.tif 000034
【図３３】
2018038448.tif 000035
【図３４】
2018038448.tif 000036
【図３５】
2018038448.tif 000037
【図３６】
2018038448.tif 000038
【図３７】
2018038448.tif 000039
【図３８】
2018038448.tif 000040
【図３９】
2018038448.tif 000041
【図４０】
2018038448.tif 000042